(57)【要約】【課題】  複雑な構造の緩急針を必要としないで、「ひげぜんまい」の外周部の有効長さを容易に調節できるような緩急機構を備えた機械式時計を提供する。【解決手段】  本発明の機械式時計では、てんぷ７０は、てん真７１と、ひげぜんまい７４と、てん輪７９とを含む。てん輪７９の中心部は、てん真７１に固定され、ひげぜんまい７４の内端部は、てん真７１に固定されている。ひげぜんまい７４の外周部７４ｇは、１個又は複数の緩急調整用連結部７５ａ〜７５ｆによって調整ばね７６に連結されている。調整ばね７６の外端部７６ｈは、ひげ持７２ｂに取り付けられている。ことを特徴とする【選択図】      図１
2006214821.tif 000002
【特許請求の範囲】
【請求項１】
ムーブメント（２０）の基板を構成する地板（２２）と、時刻情報を表示するための表示車（２４）と、ぜんまいを有しかつ前記表示車（２４、４０、８０）を回転させるように回転する香箱車（３０）と、前記表示車（２４、４０、８０）の回転速度を制御するためのがんぎ車（５０）、アンクル（６０）、てんぷ（７０）を含む脱進調速機構とを有する機械式時計であって、
てんぷ（７０）は、てん真（７１）と、ひげぜんまい（７４）と、てん輪（７９）とを含み、
てん輪（７９）の中心部は、てん真（７１）に固定され、
ひげぜんまい（７４）の内端部は、てん真（７１）に固定され、
ひげぜんまい（７４）の外周部（７４ｇ）は、１個又は複数の緩急調整用連結部（７５ａ〜７５ｆ）によって調整ばね（７６）に連結されており、
調整ばね（７６）の外端部（７６ｈ）は、ひげ持（７２ｂ）に取り付けられる、
ことを特徴とする機械式時計。
【請求項２】
前記複数の緩急調整用連結部（７５ａ〜７５ｆ）は等しい長さ、等しい高さ、等しい厚さを有するように形成され、前記複数の緩急調整用連結部（７５ａ〜７５ｆ）は等しい角度間隔で配置されることを特徴とする、請求項１に記載の機械式時計。
【請求項３】
前記ひげぜんまい（７４）の外周部（７４ｇ）は、最初に複数の緩急調整用連結部（７５ａ〜７５ｆ）によって前記調整ばね（７６）に連結され、前記複数の緩急調整用連結部（７５ａ〜７５ｆ）のうちの少なくとも１箇所を切断することによって、前記ひげぜんまい（７４）の外周部（７４ｇ）は前記調整ばね（７６）に連結されるようになっていることを特徴とする、請求項１に記載の機械式時計。
【請求項４】
ムーブメント（２０）の基板を構成する地板（２２）と、時刻情報を表示するための表示車（２４、４０、８０）と、ぜんまいを有しかつ前記表示車（２４、４０、８０）を回転させるように回転する香箱車（３０）と、前記表示車（２４、４０、８０）の回転速度を制御するためのがんぎ車（５０）、アンクル（６０）、てんぷ（７０）を含む脱進調速機構とを有する機械式時計であって、
てんぷ（７０）は、てん真（７１）と、ひげぜんまい（２７４）と、てん輪（７９）とを含み、
てん輪（７９）の中心部は、てん真（７１）に固定され、
ひげぜんまい（２７４）の内端部は、てん真（７１）に固定され、
ひげぜんまい（２７４）の外周部（２７４ｇ）は、複数の緩急調整用連結部（２７５ａ〜２７５ｆ）によって調整ばね（２７６）に連結されており、
前記調整ばね（２７６）の外端部（２７６ｈ）は、ひげ持（７２ｂ）に取り付けられており、
前記調整ばね（２７６）は、複数の長さ方向ばね部分（２７６ａ〜２７６ｇ）を含んでおり、
前記複数の緩急調整用連結部（２７５ａ〜２７５ｆ）の間に位置する前記調整ばね（２７６）の長さ方向ばね部分（２７６ａ〜２７６ｇ）のうちの少なくとも１箇所を切断することによって、前記ひげぜんまい（２７４）の外周部（２７４ｇ）は前記調整ばね（２７６）に連結されるようになっていることを特徴とする機械式時計。
【請求項５】
前記複数の緩急調整用連結部（２７５ａ〜２７５ｆ）は等しい長さ、等しい高さ、等しい厚さを有するように形成され、前記複数の緩急調整用連結部（２７５ａ〜２７５ｆ）は等しい角度間隔で配置されることを特徴とする、請求項４に記載の機械式時計。
【請求項６】
前記てんぷ（７０）は、さらに、ひげ玉（３７８）を含み、
前記ひげぜんまい（７４）の内端部は前記ひげ玉（３７８）に固定され、
前記調整ばね（３７６）の外端部（３７６ｈ）は、前記ひげ持（７２ｂ）に取り付けられることなしに、前記ひげ玉（３７８）に固定されることを特徴とする、請求項１〜５のいずれか１項に記載の機械式時計。
【請求項７】
前記調整ばね（７６、２７６、３７６）は、前記ひげぜんまい（７４、２７４、３７４）と材質、厚さ及び高さが全て同じであるように形成されることを特徴とする、請求項１〜６のいずれか１項に記載の機械式時計。
【請求項８】
前記調整ばね（７６、２７６、３７６）の材質、厚さ及び高さのうちの少なくとも１つを、前記ひげぜんまい（７４、２７４、３７４）の対応する特性と異なるように形成することを特徴とする、請求項１〜６のいずれか１項に記載の機械式時計。
【発明の詳細な説明】
【技術分野】
【０００１】
本発明は、一般的には、緩急機構を備えた機械式時計に関する。特に、本発明は、てんぷに含まれる「ひげぜんまい」の外周部の有効長さを容易に調節できるような緩急調整用連結部を含む緩急機構を備えた機械式時計に関する。
【背景技術】
【０００２】
従来の機械式時計において、広く知られている代表的な緩急機構では、てんぷに含まれる「ひげぜんまい」の外周部が、緩急針に取り付けられた「ひげ棒」に接触することによって、「ひげぜんまい」の有効長さを変えて、時計の歩度（１日あたりの時計の進み又は遅れの程度）を変化させている（特許文献１の図１、図２を参照）。さらに、従来の改良された緩急機構では、レーザ装置を用いて、「ひげぜんまい」の外周部の表面の一部にレーザビームを照射して、表面の一部の厚さが薄くなるように加工して、１個又は複数の凹部を形成している（特許文献１の図３〜図７を参照）。
【０００３】
【特許文献１】米国特許第６、５３４、７４２Ｂ２明細書
【発明の開示】
【発明が解決しようとする課題】
【０００４】
しかしながら、従来の代表的な緩急機構では、てんぷの振り角の変化や、時計の携帯される姿勢の変化により、「ひげぜんまい」の外周部が「ひげ棒」に接触する場合もあれば、「ひげぜんまい」の外周部が「ひげ棒」に接触しない場合もある。また、「ひげぜんまい」の外周部が「ひげ棒」に接触するため、「ひげぜんまい」が伸び縮みするときに、「ひげぜんまい」の中心部を基準にして「ひげぜんまい」が伸び縮みしないで、「ひげぜんまい」の中心部から偏心した位置を基準にして「ひげぜんまい」が伸び縮みすることがあった。したがって、従来の代表的な緩急機構を使用すると、時計の歩度が不安定になるという課題があった。さらに、従来の代表的な緩急機構では、時計の歩度を調整するために、てんぷ受に対して回転可能に設けられた緩急針体に「ひげ棒」を設けることが必要であった。
【０００５】
また、従来の改良された緩急機構では、レーザ装置を用いて、「ひげぜんまい」の外周部の一部を精密に加工して凹部を形成している。したがって、レーザ装置を用いて加工すべき「ひげぜんまい」の外周部の位置、加工すべき凹部の形状、形成される凹部の厚さなどを正確に管理するために、レーザビームの直径、照射位置、移動方向、移動速度、照射時間などを高精度で制御することが必要であった。
【０００６】
本発明の目的は、複雑な構造の緩急針を必要としないで、「ひげぜんまい」の外周部の有効長さを容易に調節できるような緩急機構を備えた機械式時計を提供することにある。
本発明の他の目的は、「ひげ棒」を用いていないで、確実かつ容易に時計の歩度を安定させることができるような緩急機構を備えた機械式時計を提供することにある。
本発明の更に他の目的は、レーザビームの直径、照射位置、移動方向、移動速度、照射時間などを高精度で制御することを必要としないで、レーザ装置を用いて容易に加工することができるような緩急機構を備えた機械式時計を提供することにある。
【課題を解決するための手段】
【０００７】
本発明は、ムーブメントの基板を構成する地板と、時刻情報を表示するための表示車と、ぜんまいを有しかつ表示車を回転させるように回転する香箱車と、表示車の回転速度を制御するためのがんぎ車、アンクル、てんぷを含む脱進調速機構とを有する機械式時計であって、てんぷは、てん真と、ひげぜんまいと、てん輪とを含み、てん輪の中心部は、てん真に固定され、ひげぜんまいの内端部は、てん真に固定され、ひげぜんまいの外周部は、１個又は複数の緩急調整用連結部によって調整ばねに連結されており、調整ばねの外端部は、ひげ持に取り付けられることを特徴とする。緩急調整用連結部のそれぞれの内側端部は、ひげぜんまいの外周部に対して、溶接加工によって固定することができる。この構成により、複雑な構造の緩急針を必要としないで、「ひげぜんまい」の外周部の有効長さを容易に調節できるような緩急機構を備えた機械式時計を実現することができる。また、本発明の機械式時計は、「ひげ棒」を用いていないので、確実に時計の歩度を安定させることができる。
【０００８】
本発明機械式時計では、複数の緩急調整用連結部は等しい長さ、等しい高さ、等しい厚さを有するように形成され、前記複数の緩急調整用連結部は等しい角度間隔で配置されるのが好ましい。この構成により、ひげぜんまいの外周部と、調整ばねとを、バランスよくかつ確実に固定することができる。本発明機械式時計では、ひげぜんまいの外周部は、最初に複数の緩急調整用連結部によって調整ばねに連結され、複数の緩急調整用連結部のうちの少なくとも１箇所を切断することによって、ひげぜんまいの外周部は調整ばねに連結されるようになっている。この構成により、調整ばねをひげぜんまいの一部分とみなすことができ、ひげぜんまいの有効長さを容易に調整することができる。
【０００９】
また、本発明の機械式時計は、ひげぜんまいの外周部は、複数の緩急調整用連結部によって調整ばねに連結されており、調整ばねの外端部は、ひげ持に取り付けられており、調整ばねは、複数の長さ方向ばね部分を含んでおり、複数の緩急調整用連結部の間に位置する調整ばねの長さ方向ばね部分のうちの少なくとも１箇所を切断することによって、ひげぜんまいの外周部は調整ばねに連結されるようになっている。緩急調整用連結部をレーザ加工によって切断することができる。本発明の機械式時計は、レーザ加工の条件を高精度で制御することを必要としないので、レーザ装置を用いて緩急機構を迅速かつ容易に加工することができる。したがって、この構成により、ひげぜんまいの有効長さを広い範囲にわたって、容易に調整することができる。
【００１０】
本発明機械式時計では、複数の緩急調整用連結部は等しい長さ、等しい高さ、等しい厚さを有するように形成され、複数の緩急調整用連結部は等しい角度間隔で配置されるのがよい。この構成により、ひげぜんまいの外周部と複数の緩急調整用連結部とを容易に固定することでき、また、ひげぜんまいの外周部の有効長さを効果的に調整することができる。
【００１１】
また、本発明機械式時計では、てんぷは、さらに、ひげ玉を含み、ひげぜんまいの内端部はひげ玉に固定され、調整ばねの外端部は、ひげ持に取り付けられることなしに、ひげ玉に固定されるように構成することができる。この構成により、ひげ持と、ひげ持受を使用しないで、ひげぜんまいの有効長さを変えて、時計の歩度を容易に調整することができる。また、本発明機械式時計では、調整ばねの材質、厚さ及び高さのうちの少なくとも１つを、ひげぜんまいの対応する特性と異なるように形成してもよい。この構成により、ひげぜんまいの有効長さと、調整ばねの有効長さを同時に変えて、時計の歩度を一層細かく調整することができる。
【発明の効果】
【００１２】
本発明は、緩急機構を備えた機械式時計において上記の構造としたので、複雑な構造の緩急針を必要とせず、「ひげぜんまい」の外周部の有効長さを容易に調節することができる。また、本発明の機械式時計は、「ひげ棒」を用いていないので、確実かつ容易に時計の歩度を安定させることができる。さらに、本発明の機械式時計は、レーザ加工の条件を高精度で制御することを必要としないので、レーザ装置を用いて緩急機構を迅速かつ容易に加工することができる。
【発明を実施するための最良の形態】
【００１３】
一般に、時計の駆動部分を含む機械体を「ムーブメント」と称する。ムーブメントに文字板、針を取り付けて、時計ケースの中に入れて完成品にした状態を時計の「コンプリート」と称する。時計の基板を構成する地板の両側のうちで、時計ケースのガラスのある方の側、すなわち、文字板のある方の側をムーブメントの「裏側」又は「ガラス側」又は「文字板側」と称する。地板の両側のうちで、時計ケースの裏蓋のある方の側、すなわち、文字板と反対の側をムーブメントの「表側」又は「裏蓋側」と称する。ムーブメントの「表側」に組み込まれる輪列を「表輪列」と称する。ムーブメントの「裏側」に組み込まれる輪列を「裏輪列」と称する。本発明の機械式時計は、裏蓋の無い外装構造に用いることもできる。従って、本発明は、機械式時計の外装構造を、裏蓋を有するものに限定することを意図するものではない。
【００１４】
（１）第１の実施の形態：
以下に、本発明の第１の実施の形態を図面に基づいて説明する。
（１・１）表輪列の構造：
図４〜図６を参照すると、本発明の機械式時計は、ムーブメント２０の基板を構成する地板２２を備える。以下に説明する本発明の実施の形態では、地板２２の外形形状は、ほぼ円形である。なお、地板２２の外形形状は四角形、多角形、長円形等の他の形状であってもよい。本発明の実施の形態では、香箱車、二番車、三番車、四番車等の表輪列、回転錘、つめレバー等の自動巻機構、おしどり、かんぬき等の切換機構は、それぞれムーブメント２０の文字板側と反対側、すなわち、表側に組み込まれる。
【００１５】
二番車２４が地板２２のほぼ中心に回転可能に組み込まれる。二番車２４は地板２２と二番受２６との間に組み込まれる。筒かな２８が二番車２４の針取付け部に近い方の先端に隣接した外周部分にスリップ可能に、地板２２の文字板側に組み込まれる。筒かな２８は二番車２４と一体に回転する。香箱車３０が地板２２と一番受３２との間に回転可能に組み込まれる。香箱車３０の香箱歯車は二番車２４の二番かなに噛み合う。三番車３４が地板２２と一番受３２との間に回転可能に組み込まれる。二番車２４の二番歯車は三番かなに噛み合うように構成されている。四番車４０が二番受２６と一番受３２との間に回転可能に組み込まれる。三番車３４の三番歯車は四番車４０の四番かなに噛み合うように構成されている。がんぎ車５０が地板２２と一番受３２との間に回転可能に組み込まれる。四番車４０の四番歯車はがんぎ車５０のがんぎかなに噛み合うように構成されている。
【００１６】
秒を表示するために作動する四番車４０の回転中心は、二番車２４の回転中心３００と同一である。すなわち、本発明の機械式時計の実施の形態は、中三針腕時計を示す。四番車４０の回転中心は、二番車２４の回転中心３００と別個の位置にあってもよい。三番車３４が二番車２４の回転を四番車４０に伝達させる。ここで、輪列の数は上記のものだけに制限されず、更に、１つ以上の伝達車を追加してもよい。
【００１７】
（１・２）脱進調速機構の構造：
図４〜図６を参照すると、アンクル６０が地板２２とアンクル受６２との間に揺動可能に組み込まれる。アンクル６０は２つの爪石６３及びけん先６４を有する。がんぎ車５０のがんぎ歯車は爪石６３と係合する。てんぷ７０が地板２２とてんぷ受７２との間に回転可能に組み込まれる。図１及び図６を参照すると、てんぷ７０は、てん真７１と、ひげぜんまい７４と、振り石７６と、ひげ玉７８と、てん輪７９とを含む。アンクル６０のけん先６４は振り石７６と係合するように構成される。てん輪７９の中心部は、てん真７１に固定される。ひげぜんまい７４の内端部は、てん真７１に固定されたひげ玉７８に固定される。ひげぜんまい７４の外周部７４ｇは、複数の緩急調整用連結部７５ａ〜７５ｆによって調整ばね７６に連結される。調整ばね７６の外端部７６ｈは、ひげ持７２ｂに取り付けられる。ひげ持７２ｂは、ひげ持受７２ａに取り付けられる。ひげ持受７２ａは、てんぷ受７２に取り付けられる。
【００１８】
ひげぜんまい７４は、「エリンバー」などの弾性材料の合金で形成される。例えば、ひげぜんまい７４の厚さは、０．０３ｍｍであり、ひげぜんまい７４の高さ（てん真７１の軸線方向にそう寸法）は、０．１５ｍｍである。調整ばね７６は、「エリンバー」などの弾性材料の合金で形成される。例えば、調整ばね７６の厚さは、０．０３ｍｍであり、調整ばね７６の高さ（てん真７１の軸線方向にそう寸法）は、０．１５ｍｍである。複数の緩急調整用連結部７５ａ〜７５ｆは、「エリンバー」などの弾性材料の合金で形成される。例えば、複数の緩急調整用連結部７５ａ〜７５ｆのそれぞれの厚さは、０．０３ｍｍであり、複数の緩急調整用連結部７５ａ〜７５ｆのそれぞれの長さは、０．２ｍｍであり、複数の緩急調整用連結部７５ａ〜７５ｆのそれぞれの高さ（てん真７１の軸線方向にそう寸法）は、０．１５ｍｍである。すなわち、複数の緩急調整用連結部７５ａ〜７５ｆは等しい長さ、等しい高さ、等しい厚さを有するように形成されるのが好ましい。この構成により、ひげぜんまい７４の外周部７４ｇと、調整ばね７６とを、バランスよくかつ確実に固定することができる。
【００１９】
複数の緩急調整用連結部７５ａ〜７５ｆは、ひげぜんまい７４の外周部７４ｇと、調整ばね７６との間において、てん真７１の中心軸線を基準として開角５０度〜９０度の範囲内に、等しい角度間隔、すなわち、１０度〜１８度の角度間隔をなすように配置されるのが好ましい。この構成により、ひげぜんまい７４の外周部７４ｇと複数の緩急調整用連結部７５ａ〜７５ｆとを容易に固定することでき、また、ひげぜんまい７４の外周部７４ｇの有効長さを効果的に調整することができる。図１には６個の緩急調整用連結部を図示しているけれども、緩急調整用連結部の個数は、２個〜１２個であるのが好ましい。この構成により、ひげぜんまい７４の外周部７４ｇの有効長さを広い範囲に調整することができる。緩急調整用連結部の個数は、４個〜８個であるのが一層好ましい。この構成により、ひげぜんまい７４の外周部７４ｇと複数の緩急調整用連結部７５ａ〜７５ｆとの占める領域を大きくすることなしに、ひげぜんまい７４の外周部７４ｇの有効長さを広い範囲に調整することができる。
【００２０】
調整ばね７５は、ひげぜんまい７４と材質、厚さ及び高さが全て同じであるように形成されるのが好ましい。この構成により、調整ばね７５をひげぜんまい７４の一部分とみなすことができ、ひげぜんまい７４の有効長さを容易に調整することができる。また、複数の緩急調整用連結部７５ａ〜７５ｆは、ひげぜんまい７４と材質、厚さ及び高さが全て同じであるように形成されるのが好ましい。この構成により、ひげぜんまい７４の振動に悪い影響を与えることなし、ひげぜんまい７４の外周部７４ｇと、調整ばね７６とを、バランスよくかつ確実に固定することができる。
【００２１】
緩急調整用連結部７５ａ〜７５ｆのそれぞれの内側端部は、ひげぜんまい７４の外周部７４ｇに対して、溶接加工によって固定することができる。緩急調整用連結部７５ａ〜７５ｆの内側のそれぞれの端部は、ひげぜんまい７４の外周部７４ｇに対して、はんだづけ、接着加工などによって固定することもできる。緩急調整用連結部７５ａ〜７５ｆのそれぞれの外側端部は、調整ばね７６に対して、溶接加工によって固定することができる。緩急調整用連結部７５ａ〜７５ｆの内側のそれぞれの端部は、ひげぜんまい７４の外周部７４ｇに対して、はんだづけ、接着加工などによって固定することもできる。
【００２２】
図１に示すように、ひげぜんまい７４の外周部７４ｇは、最初に複数すなわち６個の緩急調整用連結部７５ａ〜７５ｆによって調整ばね７６に連結される。図１に示す状態で、ひげぜんまい７４を含むてんぷを時計に組んで時計の歩度を測定して、その測定結果に応じて、前記複数の緩急調整用連結部７５ａ〜７５ｆのうちの必要な箇所を切断する。すなわち、緩急調整用連結部７５ａ〜７５ｆのうちの必要な箇所を切断することによって、ひげぜんまい７４の有効長さを調整することができる。本発明では、ひげぜんまい７４の外周部７４ｇと、調整ばね７６とが複数の緩急調整用連結部７５ａ〜７５ｆによって連結されている連結範囲は、ひげぜんまい７４の有効長さに入らないものとなっている。なぜなら、上記連結範囲内では、ひげぜんまい７４の弾性係数が、ひげぜんまい７４の他の領域と比較して大きいので、上記連結範囲内で、ひげぜんまい７４は剛体であるものと仮定され、したがって、上記連結範囲内で、ひげぜんまい７４の変形が起こりにくいからである。
【００２３】
図１を参照すると、初期状態において、ひげぜんまい７４の有効長さは、ひげぜんまい７４の内端部から、ひげぜんまい７４と一番内側の緩急調整用連結部７５ａの固定箇所までの長さと、調整ばね７６の外端部７６ｈから、調整ばね７６と一番外側の緩急調整用連結部７５ｆの固定箇所までの長さとを合計した長さである。ひげぜんまい７４の有効長さを設定するための加工に先立って、ひげぜんまい７４の有効長さと、時計の歩度との関係を実験により求めておくのがよい。図１に示す状態で、ひげぜんまい７４を含むてんぷを時計に組んで時計の歩度を測定する。そして、歩度の測定結果が「歩度の進み」であるときは、その進みの程度に対応するように、例えば、緩急調整用連結部７５ａ、７５ｂをレーザ加工によって切断することができる。レーザ加工を行うときのレーザ光線の直径は、例えば、０．１ｍｍ程度にするのがよい。
【００２４】
図２を参照すると、緩急調整用連結部７５ａ、７５ｂを切断した後、ひげぜんまい７４の有効長さは、ひげぜんまい７４の内端部から、ひげぜんまい７４と内側から三番目の緩急調整用連結部７５ｃの固定箇所までの長さと、調整ばね７６の外端部７６ｈから、調整ばね７６と一番外側の緩急調整用連結部７５ｆの固定箇所までの長さとを合計した長さになる。歩度の測定結果が「歩度の進み」であるときは、その進みの程度に対応するように、例えば、緩急調整用連結部７５ａの１箇所だけを切断することができるし、緩急調整用連結部７５ａ及び７５ｂの２箇所を切断することもできるし、緩急調整用連結部７５ａ〜７５ｃの３箇所を切断することもできるし、緩急調整用連結部７５ａ〜７５ｄの４箇所を切断することもできるし、或いは、緩急調整用連結部７５ａ〜７５ｅの５箇所を切断することもできる。このように、１箇所又は複数箇所の緩急調整用連結部を切断することによって、ひげぜんまい７４の有効長さを変えて、時計の歩度が遅れるように調整することができる。
【００２５】
図３を参照すると、緩急調整用連結部７５ａ、７５ｂ、７５ｃと、緩急調整用連結部７５ｅ、７５ｆを切断した後、ひげぜんまい７４の有効長さは、ひげぜんまい７４の内端部から、ひげぜんまい７４と内側から四番目の緩急調整用連結部７５ｄの固定箇所までの長さと、調整ばね７６の外端部７６ｈから、調整ばね７６と内側から四番目の緩急調整用連結部７５ｄの固定箇所までの長さとを合計した長さになる。このように、５箇所の緩急調整用連結部を切断することによって、ひげぜんまい７４の有効長さを一番長くなるように変えて、時計の歩度が一番遅れるように調整することができる。この場合、１箇所だけ残す緩急調整用連結部は、緩急調整用連結部７５ａ〜７５ｆのうちのいずれにすることも可能である。変形例として、調整ばね７５の材質、厚さ及び高さのうちの少なくとも１つを、ひげぜんまい７４の対応する特性と異なるように形成してもよい。この構成により、ひげぜんまい７４の有効長さと、調整ばね７５の有効長さを同時に変えて、時計の歩度を一層細かく調整することができる。
【００２６】
（１・３）裏輪列の構造：
図５及び図８を参照すると、筒車８０が地板２２の文字板８２のある側に回転可能に組み込まれる。日の裏車９０が地板２２の文字板８２のある側に回転可能に組み込まれる。日の裏車９０の日の裏歯車が筒かな２８に噛み合う。日の裏車９０の日の裏かなが筒車８０に噛み合うように構成されている。
【００２７】
（１・４）自動巻機構の構造：
図４〜図６を参照すると、回転錘１００が一番受３２に回転可能に組み込まれる。回転錘１００はボールベアリング（図示せず）を介して一番受３２に組み込まれる。一番伝え車（図示せず）が回転錘１００のかな（図示せず）に噛み合うように回転可能に組み込まれる。つめレバー（図示せず）が、一番伝え車の偏心カム部分（図示せず）に回転可能に組み込まれる。二番伝え車（図示せず）がつめレバーにつめ部分（図示せず）に係合するように回転可能に組み込まれる。二番伝え車のラチェット歯（図示せず）がつめレバーのつめ部分に係合するように構成されている。回転錘１００の回転に基づいて一番伝え車（図示せず）が回転し、つめレバーの作動に基づいて、二番伝え車は所定の方向にのみ回転するように構成される。二番巻伝え車（図示せず）の回転に基づいて、ぜんまいを巻くように構成されている。
【００２８】
（１・５）切換機構の構造：
図４、図７、図９を参照すると、かんぬき押さえ１４０は弾性変形可能な材料で製造され、例えば、ステンレス鋼で製造されるのが好ましい。かんぬき１３０は弾性変形可能な材料で製造され、例えば、ステンレス鋼で製造されるのが好ましい。かんぬき１３０のばね部分１３２は、直線状の形状、湾曲形状、Ｕ字形状等のいずれの形状であってもよい。かんぬき押さえ１４０の山形部分１４２が、おしどり１２０の位置きめピン１２２に係合して、おしどり１２０の位置を決め、かつ、巻真１１０の切換重さを設定する。本発明の機械式時計では、巻真１１０を１段目、及び、２段目に引き出すことができるように、かんぬき押さえ１４０の山形部分１４２を構成している。かんぬき１３０のばね部分１３２のばね力により、かんぬき１３０の案内谷部１３８が、おしどり１２０の先端部分の側面に押しつけられる。
【００２９】
（１・６）機械式時計の作動：
次に、本発明の機械式時計の作動について説明する。図４〜図６を参照すると、ぜんまい（図示せず）の力により、香箱車３０が回転する。香箱車３０の回転により二番車２４が回転する。二番車２４の回転により三番車３４が回転する。三番車３４の回転により四番車４０が回転する。また、二番車２４の回転により筒かな２８が同時に回転する。筒かな２８の回転により日の裏車９０が回転する。日の裏車９０の回転により筒車８０が回転する。これらの各輪列の回転速度は、てんぷ７０、アンクル６０及びがんぎ車５０の動作により制御される。その結果、四番車４０は１分間に１回転する。筒かな２８及び二番車２４は１時間に１回転する。筒車８０は１２時間に１回転する。
【００３０】
四番車４０に取り付けた秒針４０ｈで「秒」を表示する。筒かな２８に取り付けた分針２８ｈで「分」を表示する。筒車８０に取り付けた時針８０ｈで「時」を表示する。すなわち、四番車４０、筒かな２８及び二番車２４、筒車８０は、時刻情報を表示するための表示車を構成する。時針８０ｈ、分針２８ｈ、秒針４０ｈと、文字板８２の目盛等により、時刻を読み取ることができる。次に、自動巻機構によるぜんまい巻きについて説明する。機械式時計を腕に携帯して腕を前後に振る。回転錘１００の回転に基づいてつめレバーが偏心カムの作動のように作動し、ラチェット歯を有する自動巻伝え車（図示せず）等の回転によりぜんまいを巻くことができる。
【００３１】
次に、切換機構の作動について説明する。図４、図７〜図９を参照すると、通常、機械式時計を腕に携帯しているとき、巻真１１０は０段目にある。次に、カレンダの修正を行うとき、巻真１１０を引き出して１段目にする。このとき、おしどり１２０は回転する。かんぬき１３０は、かんぬきのばね力により回転して、つづみ車１６２の乙歯１６２ｂを第１カレンダ修正伝え車１７０とかみ合わせる。この状態で巻真１１０を回転させると、つづみ車１６２が回転し、第１カレンダ修正伝え車１７０の回転により日車１７２或いは曜車１７４を修正することができる。次に、時刻の修正を行うとき、巻真１１０を更に引き出して２段目にする。このとき、おしどり１２０は更に回転する。かんぬき１３０は、かんぬきのばね力により、上記の回転とは逆方向に回転して、つづみ車１６２の甲歯１６２ａを日の裏車９０とかみ合わせる。この状態で巻真１１０を回転させると、つづみ車１６２が回転し、日の裏車９０の回転により筒かな２８及び筒車８０を回転させて時刻表示を修正することができる。
【００３２】
（２）第２の実施の形態：
次に、本発明の機械式時計の第２の実施の形態を説明する。以下の説明は、本発明の機械式時計の第２の実施形態が本発明の機械式時計の第１の実施形態と異なる点を主に述べる。したがって、以下に記載がない個所は、前述した本発明の機械式時計の第１の実施形態についての説明をここに準用する。
【００３３】
図１０を参照すると、複数の緩急調整用連結部２７５ａ〜２７５ｇは、ひげぜんまい２７４の外周部２７４ｇと、調整ばね２７６との間において、てん真７１の中心軸線を基準として開角６０度〜３４２度の範囲内に、等しい角度間隔、すなわち、１０度〜５７度の角度間隔をなすように配置されるのが好ましい。図１０には８個の緩急調整用連結部を図示しているけれども、緩急調整用連結部の個数は、２個〜１２個であるのが好ましい。緩急調整用連結部の個数は、６個〜１０個であるのが一層好ましい。緩急調整用連結部２７５ａ〜２７５ｇのそれぞれの内側端部は、ひげぜんまい２７４の外周部２７４ｇに対して、溶接加工によって固定される。調整ばね２７６は、それぞれの緩急調整用連結部を固定した間に調整ばねの部分、すなわち、７個の長さ方向ばね部分２７６ａ〜２７６ｇを含む。
【００３４】
図１０に示すように、ひげぜんまい２７４の外周部２７４ｇは、最初に複数すなわち７個の緩急調整用連結部２７５ａ〜２７５ｇによって調整ばね２７６に連結される。図１０に示す状態で、ひげぜんまい２７４を含むてんぷを時計に組んで時計の歩度を測定して、その測定結果に応じて、調整ばね２７６の前記長さ方向ばね部分２７６ａ〜２７６ｇのうちの少なくとも１箇所を切断する。すなわち、長さ方向ばね部分２７６ａ〜２７６ｇのうちの必要な箇所を切断することによって、ひげぜんまい２７４の有効長さを調整することができる。図１０を参照すると、初期状態において、ひげぜんまい２７４の有効長さは、ひげぜんまい２７４の内端部から、ひげぜんまい２７４と一番内側の緩急調整用連結部２７５ａの固定箇所までの長さである。
【００３５】
本発明では、ひげぜんまい２７４の外周部７４ｇと、調整ばね２７６とが複数の緩急調整用連結部２７５ａ〜２７５ｇによって連結されている連結範囲は、ひげぜんまい２７４の有効長さに入らないものとなっている。なぜなら、上記連結範囲内では、ひげぜんまい２７４の弾性係数が、ひげぜんまい２７４の他の領域と比較して大きいので、上記連結範囲内で、ひげぜんまい２７４は剛体であるものと仮定され、したがって、上記連結範囲内で、ひげぜんまい２７４の変形が起こりにくいからである。
【００３６】
図１０に示す状態で、ひげぜんまい２７４を含むてんぷを時計に組んで時計の歩度を測定する。そして、歩度の測定結果が「歩度の進み」であるときは、その進みの程度に対応するように、例えば、長さ方向ばね部分２７６ｂ、２７６ｄ、２７６ｆをレーザ加工によって切断することができる。この構成により、ひげぜんまい２７４の有効長さを広い範囲にわたって、容易に調整することができる。
【００３７】
図１１を参照すると、長さ方向ばね部分２７６ｂ、２７６ｄ、２７６ｆを切断した後、ひげぜんまい２７４の有効長さは、ひげぜんまい２７４の内端部から、ひげぜんまい２７４と一番内側の緩急調整用連結部２７５ａの固定箇所までの長さと、ひげぜんまい２７４の内側から二番目の緩急調整用連結部２７５ｂの固定箇所と、ひげぜんまい２７４の内側から三番目の緩急調整用連結部２７５ｃの固定箇所との間のひげぜんまい２７４の長さと、ひげぜんまい２７４の内側から四番目の緩急調整用連結部２７５ｄの固定箇所と、ひげぜんまい２７４の内側から五番目の緩急調整用連結部２７５ｅの固定箇所との間のひげぜんまい２７４の長さと、ひげぜんまい２７４の内側から六番目の緩急調整用連結部２７５ｆの固定箇所と、ひげぜんまい２７４の内側から七番目の緩急調整用連結部２７５ｇの固定箇所との間のひげぜんまい２７４の長さとを合計した長さになる。歩度の測定結果が「歩度の進み」であるときは、その進みの程度に対応するように、例えば、長さ方向ばね部分の１箇所だけを切断することができるし、長さ方向ばね部分の複数の箇所を切断することもできる。このように、長さ方向ばね部分の１箇所又は複数箇所を切断することによって、ひげぜんまい２７４の有効長さを変えて、時計の歩度が遅れるように調整することができる。
【００３８】
（３）第３の実施の形態：
次に、本発明の機械式時計の第３の実施の形態を説明する。以下の説明は、本発明の機械式時計の第３の実施形態が本発明の機械式時計の第１の実施形態と異なる点を主に述べる。したがって、以下に記載がない個所は、前述した本発明の機械式時計の第１の実施形態についての説明をここに準用する。
【００３９】
図１２を参照すると、てんぷは、てん真７１と、ひげぜんまい３７４と、振り石と、ひげ玉３７８と、てん輪とを含む。ひげぜんまい３７４の内端部は、てん真７１に固定されたひげ玉３７８に固定される。ひげぜんまい３７４の外周部３７４ｇは、複数の緩急調整用連結部７５ａ〜７５ｆによって調整ばね３７６に連結される。調整ばね３７６の外端部３７６ｈは、ひげ玉３７８に固定される。したがって、本発明の機械式時計の第３の実施の形態は、いわゆる「巻上げひげ」の構造を有するてんぷに関するものである。
【００４０】
図１２に示すように、ひげぜんまい３７４の外周部３７４ｇは、最初に複数すなわち６個の緩急調整用連結部７５ａ〜７５ｆによって調整ばね３７６に連結される。図１３を参照すると、緩急調整用連結部７５ａ、７５ｆを切断した後、ひげぜんまい３７４の有効長さは、ひげぜんまい３７４の内端部から、ひげぜんまい３７４と内側から二番目の緩急調整用連結部７５ｂの固定箇所までの長さと、調整ばね３７６の外端部３７６ｈから、調整ばね３７６と内側から五番目の緩急調整用連結部７５ｅの固定箇所までの長さとを合計した長さになる。このように、１箇所又は複数箇所の緩急調整用連結部を切断することによって、ひげぜんまい３７４の有効長さを変えて、時計の歩度が遅れるように調整することができる。
【００４１】
図１４を参照すると、緩急調整用連結部３７５ａ、３７５ｂと、緩急調整用連結部３７５ｅ、３７５ｆを切断した後、ひげぜんまい３７４の有効長さは、ひげぜんまい３７４の内端部から、ひげぜんまい３７４と内側から三番目の緩急調整用連結部３７５ｃの固定箇所までの長さと、調整ばね３７６の外端部３７６ｈから、調整ばね３７６と内側から四番目の緩急調整用連結部３７５ｄの固定箇所までの長さとを合計した長さになる。このように、４箇所の緩急調整用連結部を切断することによって、ひげぜんまい３７４の有効長さを変えて、時計の歩度を調整することができる。この構成により、ひげ持と、ひげ持受を使用しないで、ひげぜんまい２７４の有効長さを変えて、時計の歩度を容易に調整することができる。
【００４２】
次に、本発明の機械式時計の第３の実施の形態の変形例について説明する。以下の説明は、本発明の機械式時計の第３の実施の形態の変形例が本発明の機械式時計の第２の実施形態と異なる点を主に述べる。したがって、以下に記載がない個所は、前述した本発明の機械式時計の第２の実施形態についての説明をここに準用する。
【００４３】
調整ばね３７６の外端部３７６ｈを、ひげ玉３７８に固定する構造は、本発明の機械式時計の第２の実施の形態の構造にも適用することもできる。すなわち、本発明の機械式時計の第２の実施の形態において、ひげ持７２ｂと、ひげ持受７２ａを設けないで、調整ばね２７６の外端部２７６ｈを、ひげ玉２７８に固定することができる。この構成により、ひげ持と、ひげ持受を使用しないで、調整ばね２７６の長さ方向ばね部分２７６ａ〜２７６ｇのうちの少なくとも１箇所を切断することによって、ひげぜんまい２７４の有効長さを変えて、時計の歩度を容易に調整することができる。
【産業上の利用可能性】
【００４４】
本発明により、「ひげぜんまい」の外周部の有効長さを容易に調節できるような緩急機構を備えた機械式時計を実現することができる。本発明の機械式時計の緩急機構は、レーザ装置などを用いて容易に加工することができる。
【図面の簡単な説明】
【００４５】
【図１】本発明の機械式時計の第１の実施形態において、緩急調整用連結部を切断していない「ひげぜんまい」の概略構造を示す平面図である。
【図２】本発明の機械式時計の第１の実施形態において、内側の２箇所の緩急調整用連結部を切断した「ひげぜんまい」の概略構造を示す平面図である。
【図３】本発明の機械式時計の第１の実施形態において、中間の緩急調整用連結部のみを残して、他の緩急調整用連結部を切断した「ひげぜんまい」の概略構造を示す平面図である。
【図４】本発明の機械式時計の第１の実施形態において、明瞭に示すために、自動巻装置、受け部材等を省略して図示した、ムーブメントの表側から見た概略構造を示す平面図である。
【図５】本発明の機械式時計の第１の実施形態において、香箱及び表輪列の部分の概略構造を示す断面図である。
【図６】本発明の機械式時計の第１の実施形態において、てんぷ、アンクル、てんぷの部分の概略構造を示す断面図である。
【図７】本発明の機械式時計の第１の実施形態において、おしどり及びかんぬきの部分の概略構造を示す平面図である。
【図８】本発明の機械式時計の第１の実施形態において、巻真の部分の概略構造を示す断面図である。
【図９】本発明の機械式時計の第１の実施形態において、おしどり及びかんぬきの部分の概略構造を示す断面図である。
【図１０】本発明の機械式時計の第２の実施形態において、緩急調整用連結部を切断していない「ひげぜんまい」の概略構造を示す平面図である。
【図１１】本発明の機械式時計の第２の実施形態において、調整ばね部の複数の箇所を切断した「ひげぜんまい」の概略構造を示す平面図である。
【図１２】本発明の機械式時計の第３の実施形態において、緩急調整用連結部を切断していない「ひげぜんまい」の概略構造を示す平面図である。
【図１３】本発明の機械式時計の第３の実施形態において、一番内側の緩急調整用連結部及び一番外側の緩急調整用連結部を切断した「ひげぜんまい」の概略構造を示す平面図である。
【図１４】本発明の機械式時計の第３の実施形態において、中間の２箇所の緩急調整用連結部のみを残して、他の緩急調整用連結部を切断した「ひげぜんまい」の概略構造を示す平面図である。
【符号の説明】
【００４６】
２０  ムーブメント
２２  地板
２４  二番車
２８  筒かな
３０  香箱車
３４  三番車
４０  四番車
５０  がんぎ車
６０  アンクル
７０  てんぷ
７１  てん真
７２  てんぷ受
７２ａ  ひげ持受
７２ｂ  ひげ持
７４  ひげぜんまい
７５ａ〜７５ｆ  緩急調整用連結部
７６  調整ばね
７９  てん輪
２７４  ひげぜんまい
２７５ａ〜２７５ｈ  緩急調整用連結部
２７６  調整ばね
２７６ａ〜２７６ｇ  長さ方向ばね部分
３７４  ひげぜんまい
３７５ａ〜３７５ｆ  緩急調整用連結部
３７６  調整ばね
【図１】
2006214821.tif 000003
【図２】
2006214821.tif 000004
【図３】
2006214821.tif 000005
【図４】
2006214821.tif 000006
【図５】
2006214821.tif 000007
【図６】
2006214821.tif 000008
【図７】
2006214821.tif 000009
【図８】
2006214821.tif 000010
【図９】
2006214821.tif 000011
【図１０】
2006214821.tif 000012
【図１１】
2006214821.tif 000013
【図１２】
2006214821.tif 000014
【図１３】
2006214821.tif 000015
【図１４】
2006214821.tif 000016